(57)【要約】【課題】魚介類の外観や風味を損なうことなく運搬時の冷却に使用できるスラリー状の氷を提供する。【解決手段】製造装置１０は、海水貯留槽１、製氷装置３、スラリー氷貯留槽４、排出装置５、浄水装置８Ａを備える。海水貯留槽１は、取得した海水を貯留する。製氷装置３は、海水をシャーベット状に製氷する。浄水装置８Ａは、供給水を逆浸透膜によって逆浸透膜水に浄化する。スラリー氷貯留槽４は、製氷装置３で製氷された海水氷を逆浸透膜水と撹拌混合しつつスラリー状にして貯留する。排出装置５は、スラリー氷貯留槽１に貯留されたスラリー氷を外部に排出する。【選択図】図１
2008057927.tif 000002
【特許請求の範囲】
【請求項１】
運搬中の活魚の冷却に使用されるスラリー状の氷であって、海水をシャーベット状に製氷した後に逆浸透膜水と撹拌混合されてスラリー状を呈することを特徴とするスラリー氷。
【請求項２】
海水をシャーベット状の海水氷に製氷する製氷工程と、供給水を逆浸透膜に通過させて逆浸透膜水を作成する浄水工程と、シャーベット状の海水氷を逆浸透膜水と撹拌混合しつつスラリー状にして貯留する貯留工程と、を含むことを特徴とするスラリー氷の製造方法。
【請求項３】
前記貯留工程は、シャーベット状の海水氷に逆浸透膜水を撹拌混合する際に、海洋深層水から作成した鮮度調整液をさらに加えることを特徴とする請求項２に記載のスラリー氷の製造方法。
【請求項４】
取得した海水を貯留する海水貯留槽と、前記貯留槽内の海水をシャーベット状の海水氷に製氷する製氷部と、供給水を逆浸透膜に通過させて逆浸透膜水を作成する浄水装置と、前記製氷部で製氷された海水氷を前記浄水装置で作成された逆浸透膜水と撹拌混合しつつスラリー状にして貯留するスラリー氷貯留槽と、前記スラリー氷貯留槽に貯留されたスラリー氷を外部に排出する排出部と、前記排出部におけるスラリー氷の排出流量を制御する制御部と、を含むことを特徴とするスラリー氷の製造装置。
【請求項５】
前記浄水装置で作成された逆浸透膜水を貯留する逆浸透膜水貯留槽と、前記製氷部での海水氷の製氷時に発生する濃縮冷海水によって前記逆浸透膜水貯留槽内の逆浸透膜水を冷却する冷却装置と、をさらに含むことを特徴とする請求項４に記載のスラリー氷の製造装置。
【発明の詳細な説明】
【技術分野】
【０００１】
この発明は、産地から販売地等の目的地へ魚介類を運搬する際の魚介類の冷却に好適なスラリー氷、並びに、このスラリー氷の製造方法及び製造装置に関する。
【背景技術】
【０００２】
魚介類を産地から販売地等の目的地に運搬する際に、魚介類を冷凍すると鮮度が低下し、旨味が損なわれる。また、冷凍に際して粉砕した氷を魚介類に接触させた状態で運搬すると、魚介類の表面に損傷を与えるだけでなく、氷の使用量を正確に計測できず、氷の搬送も困難になる。
【０００３】
また、海水や水を貯留した水槽内で魚介類を運搬することとすると、魚介類の運搬中に水槽内の海水や水の温度や酸素量を制御するためには、複雑な構成の装置が必要になり、装備費や運搬コストの高騰を招く（例えば、特許文献１参照。）。また、運搬効率を優先して水槽内に多量の魚介類が投入される場合が多く、運搬中の魚介類に過度のストレスが作用し、旨味が損なわれる問題がある。
【０００４】
そこで、海水をシャーベット状に製氷した後に海水と攪拌混合し、スラリー状とした海水氷を提案した。海水氷は、活魚の表面に損傷を与えることなく活魚に直接接触させて冬眠状態に冷却することができ、溶解時に冬眠状態の活魚に充分な酸素を供給することで旨味を損なうことなく大量の活魚を効率的に運搬することができる。また、流量による正確な使用量の計測が可能で、かつ、搬送性に優れる。
【特許文献１】特開平０１−１５７３２７号公報
【発明の開示】
【発明が解決しようとする課題】
【０００５】
しかしながら、シャーベット状に製氷した海水氷と海水とを攪拌混合したスラリー状の海水氷は、塩分濃度が高いため、運搬された活魚をそのまま食用に供することができない問題がある。例えば、シラスは、殆ど塩分を含まない水を製氷した氷とともに鮮魚の状態で搬送され、そのまま食用に供される場合があるが、シラスの運搬時の冷却のためにスラリー状の海水氷を用い場合は、運搬後に水洗いしなければならない。
【０００６】
一方、シラスの運搬時の冷却のために水道水を製氷した氷を用いると、水道水中の塩素によってシラスが白濁して捕獲時の透明な状態のまま運搬することができない。また、塩素によってシラスの風味が損なわれる。このため、商品価値が低下する。このような問題は、シラスだけでなく鮮魚状態で運搬される魚介類に一般的に生じる。
【０００７】
この発明の目的は、魚介類の外観や風味を損なうことなく運搬時の冷却に使用することができるスラリー氷、スラリー氷の製造方法及びスラリー氷の製造装置を提供することにある。
【課題を解決するための手段】
【０００８】
この発明のスラリー氷は、海水をシャーベット状に製氷した後に逆浸透膜水と撹拌混合したものである。塩分を殆ど含有しないシャーベット状の海水氷が塩分を全く含まない逆浸透膜水と攪拌混合されるため、塩分濃度が十分に低いスラリー氷が作成され、運搬時に魚介類を浸漬しても塩辛くなることがない。また、逆浸透膜水は塩素を殆ど含まないため、運搬される魚介類の外観や味覚が損なわれることがない。例えば、シラスは、捕獲時の透明な状態のまま運搬される。
【０００９】
この発明のスラリー氷の製造方法は、製氷工程、浄水工程、貯留工程を含む。製氷工程では、海水がシャーベット状の海水氷に製氷される。浄水工程では、供給水を逆浸透膜に通過させて逆浸透膜水が作成される。貯留工程では、シャーベット状の海水氷が逆浸透膜水と撹拌混合しつつスラリー状にして貯留される。
【００１０】
貯留工程では、シャーベット状の海水氷に逆浸透膜水を撹拌混合する際に、海洋深層水から作成した鮮度調整液をさらに加えることができる。スラリー氷にミネラル成分が添加され、運搬中の魚介類の鮮度が保持される。
【００１１】
この発明のスラリー氷の製造装置は、海水貯留槽、製氷部、浄水装置、スラリー氷貯留槽、排出部及び制御部を備えている。海水貯留槽は、取得した海水を貯留する。製氷部は、貯留槽内の海水をシャーベット状の海水氷に製氷する。浄水装置は、供給水を逆浸透膜に通過させて逆浸透膜水を作成する。スラリー氷貯留槽は、製氷部で製氷された海水氷を浄水装置で作成された逆浸透膜水と撹拌混合しつつスラリー状にして貯留する。排出部は、スラリー氷貯留槽に貯留されたスラリー氷を外部に排出する。制御部は、排出部におけるスラリー氷の排出流量を制御する。シャーベット状の海水氷と逆浸透膜水とを攪拌混合したスラリー氷が、流量を制御されつつ排出される。
【００１２】
この発明のスラリー氷の製造装置には、逆浸透膜水貯留槽、冷却装置をさらに備えることができる。逆浸透膜水貯留槽は、浄水装置で作成された逆浸透膜水を貯留する。冷却装置は、製氷部での海水氷の製氷時に発生する濃縮冷海水によって逆浸透膜水貯留槽内の逆浸透膜水を冷却する。海水氷の作成時に発生する低温の濃縮冷海水との熱交換によって逆浸透膜水を冷却することができ、減圧装置や専用の冷媒を備えた冷却装置を設けることなく逆浸透膜水の温度を調整できる。
【発明の効果】
【００１３】
この発明の海水氷は、塩分を殆ど含まないシャーベット状の海水氷と塩分を全く含まない逆浸透膜水とを攪拌混合して作成されるため、塩分濃度が十分に低いスラリー氷を作成することができ、運搬時に魚介類を浸漬しても塩辛くなることを防止できる。また、逆浸透膜水は塩素を殆ど含まないため、運搬される魚介類の外観や味覚を損なうことがない。これによって、魚介類を外観や風味を損なうことなく冷却して運搬することができる。
【００１４】
この発明のスラリー氷の製造方法は、シャーベット状の海水氷と逆浸透膜水とを撹拌混合しつつスラリー状にして貯留することができ、魚介類の外観や風味を損なうことなく運搬時の冷却に使用することができるスラリー氷を容易に製造することができる。
【００１５】
この発明のスラリー氷の製造装置は、シャーベット状の海水氷と逆浸透膜水とを攪拌混合したスラリー氷を、流量を制御しつつ排出することができる。
【発明を実施するための最良の形態】
【００１６】
図１は、この発明の実施形態に係るスラリー氷の製造装置１０のブロック図である。製造装置１０は、海水貯留槽１、気泡発生装置２、製氷機３、スラリー氷貯留槽４、排出装置５、操作装置６、殺菌装置７、逆浸透膜水貯留槽８、浄水装置８Ａ、冷却装置８Ｂ、鮮度調整液槽９を備えている。
【００１７】
海水貯留槽１は、海から採取した海水を貯留する。殺菌装置７は、海水貯留槽１からポンプ１１を介して製氷機３に供給される海水を、一例として紫外線の照射によって殺菌する。製氷機３は、この発明の製氷部であり、一例として海水を冷却したシリンダの内面に薄膜状に凍らせた後に掻き落とし、シャーベット状の海水氷を作る。製氷機３は、他の方法でシャーベット状の海水氷を作るものであってもよい。
【００１８】
浄水装置８Ａは、逆浸透膜を備えている。浄水装置８Ａには、バルブ８１を介して水道水等の供給水が流入する。供給水は、逆浸透膜を通過する際に、塩素を含む不純物が取り除かれ、逆浸透膜水となる。逆浸透膜水貯留槽８は、浄水装置８Ａで作成された逆浸透膜水がバルブ８２を介して流入する。冷却装置８Ｂは、逆浸透膜水貯留槽８内の逆浸透膜水を冷却する。冷却装置８Ｂには、製氷機３での海水氷の作成時に発生する高濃度冷海水（例えば、ＮａＣｌの濃度が３〜４％、温度が−２℃）が冷媒として供給される。冷却装置８Ｂは、逆浸透膜水貯留槽８からポンプ８３を介して流入する逆浸透膜水と高濃度冷海水との間で熱交換を行う。冷却された逆浸透膜水は、逆浸透膜水貯留槽８内に戻される。
【００１９】
鮮度調整液槽９は、鮮度調整液を貯留する。鮮度調整液は、一例として海洋深層水から作られ、多量のミネラルを含有している。鮮度調整液槽９は、製氷機３で発生した高濃度冷海水によって冷却することもできる。
【００２０】
スラリー氷貯留槽４は、モータ４１及び撹拌羽根４２を備えている。スラリー氷貯留槽４には、製氷機３からポンプ３１を介してシャーベット状の海水氷が供給され、逆浸透膜水貯留槽８からポンプ８４及びバルブ８５を介して逆浸透膜水が供給される。スラリー氷貯留槽４は、シャーベット状の海水氷を逆浸透膜水と撹拌、混合してスラリー氷として貯留する。スラリー氷貯留槽４には、鮮度調整液槽９からポンプ９１を介して鮮度調整液が適宜供給される。スラリー氷貯留槽４が貯留するスラリー氷に、適量のミネラルを付与することができる。
【００２１】
排出装置５は、ポンプ５１、流量計５２、排出管５３を備えている。排出管５３は、一端を海水氷貯留槽４に接続している。ポンプ５１及び流量計５２は、排出管５３に備えられている。ポンプ５１は、海水氷貯留槽４内に貯留されているスラリー状の海水氷を排出管５３を経由して外部に排出する。流量計５２は、排出管５３内の海水氷の流量を測定し、流量に応じた電気信号を流量信号として出力する。
【００２２】
スラリー氷貯留槽４内に貯留されているスラリー状の海水氷は、流動性が高いため、排出管５３として可撓性を有するホース等を使用することがでる。このため、スラリー氷の排出位置の自由度が高く、スラリー氷を使用する場所への搬送作業が簡略化され、作業性が向上する。例えば、漁港内の安定した場所に設置された販売装置１０から漁船内にスラリー氷を直接排出することができる。また、排出管５３内におけるスラリー氷の流量を測定することができ、スラリー氷の排出量を正確に計測することができる。
【００２３】
操作装置６は、ディスプレイ６１、貨幣処理機６２を備えている。ディスプレイ６１は、種々の画面を表示する。ディスプレイ６１の表面には、タッチパネルが配置されている。タッチパネルは、ディスプレイ６１が表示する画面に応じた情報の入力を受け付ける。通常、ディスプレイ６１はスラリー氷の販売のための画面を表示しており、タッチパネルはスラリー氷の購入量等の入力を受け付ける。
【００２４】
貨幣処理機６２は、スラリー氷の購入量に応じた代金の処理を行う。このため、貨幣処理機６２は、貨幣投入口６３及び釣り銭放出口６４を備えている。貨幣処理機６２は、代金以上の金額の貨幣が貨幣投入口６３に投入されると、これを収納して必要な釣り銭を釣り銭放出口６４に放出する。
【００２５】
上記の構成において、操作装置６を除く海水貯留槽１、製氷機３、スラリー氷貯留槽４、排出装置５、殺菌装置７、逆浸透膜水貯留槽８、浄水装置８Ａ、冷却装置８Ｂ、鮮度調整液槽９がこの発明の海水氷の製造装置に含まれる。
【００２６】
図２は、この発明のスラリー氷の製造方法を示す図である。この発明のスラリー氷の製造装置を構成する海水貯留槽１、製氷機３、海水氷貯留槽４、排出装置５、殺菌装置７、逆浸透膜水貯留槽８、浄水装置８Ａ、冷却装置８Ｂ、鮮度調整液槽９は、殺菌工程Ｓ１、製氷工程Ｓ２、浄水工程Ｓ３、貯留工程Ｓ４及び排出工程Ｓ５を順次行う。
【００２７】
殺菌工程Ｓ１では、酸素気泡を含有した海水氷に殺菌装置７によって例えば紫外線の照射による殺菌処理を施す。製氷工程Ｓ２では、海水を製氷装置３によってシャーベット状の海水氷に製氷する。浄水工程Ｓ３では、逆浸透膜を介して供給水から逆浸透膜水を作成する。
【００２８】
貯留工程Ｓ４では、シャーベット状の海水氷をスラリー氷貯留槽４で逆浸透膜水と撹拌混合しつつスラリー状にして貯留する。排出工程Ｓ５では、スラリー氷貯留槽４内に貯留されている海水氷を排出装置５によって外部に排出する。
【００２９】
以上の処理により、海水を衛生的なスラリー状のスラリー氷にしてスラリー氷貯留槽４に貯留しておき、必要に応じて所定量を外部に排出することができる。
【００３０】
図３は、販売装置１０の制御部の構成を示すブロック図である。販売装置１０の操作装置６には、この発明の制御部である制御装置１００が収納されている。制御装置１００は、ＲＯＭ１０２、ＲＡＭ１０３を備えたＣＰＵ１０１に、表示制御部１０４、タッチパネル１０５、貨幣処理機６２、ポンプドライバ１０６，１０９、Ａ／Ｄ変換器１０７、インタフェース１０８等を接続して構成されている。
【００３１】
ＣＰＵ１０１は、ＲＯＭ１０２に予め書き込まれたプログラムに従って各機器を統括して制御し、この間に入出力されるデータをＲＡＭ１０３に割り当てられている各メモリエリアに格納する。表示制御部１０４には、ディスプレイ６１が接続されている。表示制御部１０４は、ＣＰＵ１０１から入力された画面データをディスプレイ６１に表示する。タッチパネル１０５は、操作データをＣＰＵ１０１に入力する。
【００３２】
ポンプドライバ１０６及び１０９は、ＣＰＵ１０１から供給される駆動データに従ってポンプ５１及び９１を駆動する。Ａ／Ｄ変換器５２は、流量計５２の流量信号をディジタルデータに変換してＣＰＵ１０１に入力する。インタフェース１０８は、パーソナルコンピュータ等の外部装置２０１に接続されている。ＣＰＵ１０１は、インタフェース１０８を介して外部装置２０１との間でデータの送受信を行う。外部装置２０１は、販売量の管理や領収書等の帳票の発行を行う。
【００３３】
スラリー氷の販売時には、ＣＰＵ１０１は、貨幣処理機６２から投入金額データを読み取り、タッチパネル１０５から入力された購入量に単価を乗じた代金の金額と比較する。ＣＰＵ１０１は、投入金額が代金の金額以上である場合に、流量計５２の流量データが購入量に一致するまで、駆動データをポンプドライバ５１に出力する。ＣＰＵ１０１は、投入金額が代金の金額より多い場合には貨幣処理機６２に差額データを出力し、釣り銭を放出させる。
【００３４】
ＣＰＵ１０１は、スラリー氷貯留槽４内のスラリー氷に付与すべき鮮度調整液量の調整も行う。鮮度調整液量の調整時にはＣＰＵ１０１は、タッチパネル１０５から入力された付与量に応じてポンプドライバ１０９に駆動データを出力する。
【００３５】
販売装置１０が販売するスラリー氷は、魚介類の運搬時の冷却に好適である。販売装置１０が販売するスラリー氷は、スラリー状であるため、魚介類に直接接触しても魚介類の表面に損傷を与えることがない。漁船上で捕獲した魚介類に直ちにスラリー氷を接触させ、魚介類の鮮度を保つことができる。
【００３６】
また、販売装置１０が販売するスラリー氷は、塩分を殆ど含まないため、運搬中の魚介類を浸漬しても魚介類が塩辛くなることがなく、魚介類の風味を損なうことがない。また、スラリー氷は、塩素を含まないため、魚介類の風味を損なうことがないだけでなく、運搬中の魚介類を浸漬しても魚介類が白濁することがなく、魚介類の外観を損なうこともない。
【００３７】
なお、販売装置１０に、貨幣処理機６２に代えて、又は、貨幣処理機６２とともに、カード処理機や通信処理機を備え、プリペイドカード、ポストペイカード又は携帯電話機等の通信機器との間の通信により、スラリー氷の販売量に応じた課金処理を行うようにしてもよい。
【図面の簡単な説明】
【００３８】
【図１】この発明の実施形態に係るスラリー氷の販売装置１０のブロック図である。
【図２】この発明のスラリー氷の製造方法を示す図である。
【図３】販売装置１０の制御部の構成を示すブロック図である。
【符号の説明】
【００３９】
１  海水貯留槽
３  製氷装置
４  スラリー氷貯留槽
５  排出装置
６  操作装置
７  殺菌装置
８  逆浸透膜水貯留槽
８Ａ  浄水装置
８Ｂ  冷却装置
９  鮮度調整液槽
【図１】
2008057927.tif 000003
【図２】
2008057927.tif 000004
【図３】
2008057927.tif 000005